(57)【特許請求の範囲】
【請求項１】
複数の配線が形成された絶縁性基板を巻回して筒状とすることにより形成されるコイル状電子部品であって、
前記絶縁性基板は、前記複数の配線の各端部が前記絶縁性基板における対向する２つの端部に配置された２つの接合部と、前記絶縁性基板の２つの前記接合部の間に配置され巻回されることで前記筒状をなす胴部と、２つの前記接合部のうち一方の接合部と前記胴部とを接続する第１湾曲部と、２つの前記接合部のうち他方の接合部と前記胴部とを接続する第２湾曲部とを含み、
前記接合部は、前記接合部を前記筒の軸上に投影してできる２つの第１の線分が互いに重畳し、且つ、前記胴部を前記筒の軸上に投影してできる第２の線分が２つの前記第１の線分に重畳しない形状とされ、
前記胴部は前記軸に対して斜めの方向に延在する対向する２つの辺部を備え、
２つの前記接合部を折り曲げることなく２つの前記接合部の前記複数の配線の各端部が互いに接続されていることを特徴とするコイル状電子部品。
【請求項２】
請求項１に記載のコイル状電子部品において、前記複数の配線の両端部は２つの前記接合部にそれぞれ配置され、前記複数の配線のうち相隣接する２つの配線は、前記２つの配線のうち一方の配線の２つの前記接合部のうち一方に配置された一端部と、前記２つの配線のうち他方の配線の２つの前記接合部のうち他方に配置された他端部とが、互いに接続されていることにより、前記複数の配線により１本のコイルが構成されていることを特徴とするコイル状電子部品。
【請求項３】
請求項１に記載のコイル状電子部品において、前記複数の配線の両端部は２つの前記接合部にそれぞれ配置され、前記複数の配線のうち１本置きの２つの配線は、前記２つの配線のうち一方の配線の２つの前記接合部のうち一方に配置された一端部と、前記２つの配線のうち他方の配線の２つの前記接合部のうち他方に配置された他端部とが、互いに接続されていることにより、前記複数の配線により１本のコイルが構成されていることを特徴とするコイル状電子部品。
【請求項４】
請求項１〜３のいずれかに記載のコイル状電子部品において、前記絶縁性基板は磁性体の外周に巻回されていることを特徴とするコイル状電子部品。
【発明の詳細な説明】
【技術分野】
【０００１】
この発明はコイル状電子部品に関する。
【背景技術】
【０００２】
従来のコイル状電子部品には、矩形形状のフレキシブル配線板の一面に複数の配線が互いに平行に設けられ、これら複数の配線の各両端部がフレキシブル配線基板における対向する２辺近傍の接合部にそれぞれ配置され、このフレキシブル配線板をこれら接合部同士が重畳するように折り曲げることによって円筒形状とするとともに、相隣接する２つの配線のうち一の配線の一方の接合部に配置された一端部と他の配線の他方の接合部に配置された他端部とを互いに接続することにより、１本のコイルを構成したものがある（例えば、特許文献１参照）。
【０００３】
【特許文献１】特開平９−１１５７３１号公報
【発明の開示】
【発明が解決しようとする課題】
【０００４】
しかしながら、上記従来のコイル状電子部品では、接合部を上記円筒形状の軸上に投影してできる線分とフレキシブル配線板における２つの接合部の間にある胴部を投影してできる線分とが、互いに重畳するようにこれらの接合部及び胴部が配置されているので、フレキシブル配線板を１回だけしか巻回することができず、ひいては、１回巻分のインダクタンスしか得られないという問題があった。
【０００５】
そこで、この発明は、フレキシブル配線板を複数回巻回したコイルを得ることができ、ひいては、複数回分のインダクタンスを得ることができるコイル状電子部品を提供することを目的とする。
【課題を解決するための手段】
【０００６】
請求項１に記載の発明は、複数の配線が形成された絶縁性基板を巻回して筒状とすることにより形成されるコイル状電子部品であって、
前記絶縁性基板は、前記複数の配線の各端部が前記絶縁性基板における対向する２つの端部に配置された２つの接合部と、前記絶縁性基板の２つの前記接合部の間に配置され巻回されることで前記筒状をなす胴部と、２つの前記接合部のうち一方の接合部と前記胴部とを接続する第１湾曲部と、２つの前記接合部のうち他方の接合部と前記胴部とを接続する第２湾曲部とを含み、
前記接合部は、前記接合部を前記筒の軸上に投影してできる２つの第１の線分が互いに重畳し、且つ、前記胴部を前記筒の軸上に投影してできる第２の線分が２つの前記第１の線分に重畳しない形状とされ、
前記胴部は前記軸に対して斜めの方向に延在する対向する２つの辺部を備え、
２つの前記接合部を折り曲げることなく２つの前記接合部の前記複数の配線の各端部が互いに接続されていることを特徴とするものである。
好ましくは、前記複数の配線の両端部は２つの前記接合部にそれぞれ配置され、前記複数の配線のうち相隣接する２つの配線は、前記２つの配線のうち一方の配線の２つの前記接合部のうち一方に配置された一端部と、前記２つの配線のうち他方の配線の２つの前記接合部のうち他方に配置された他端部とが、互いに接続されていることにより、前記複数の配線により１本のコイルが構成されていることを特徴とするものである。
好ましくは、前記複数の配線の両端部は２つの前記接合部にそれぞれ配置され、前記複数の配線のうち１本置きの２つの配線は、前記２つの配線のうち一方の配線の２つの前記接合部のうち一方に配置された一端部と、前記２つの配線のうち他方の配線の２つの前記接合部のうち他方に配置された他端部とが、互いに接続されていることにより、前記複数の配線により１本のコイルが構成されていることを特徴とするものである。
好ましくは、前記絶縁性基板は磁性体の外周に巻回されていることを特徴とするものである。
【発明の効果】
【０００７】
この発明によれば、複数の配線が形成された絶縁性基板を巻回して筒状とすることにより形成されるコイルにおいて、絶縁性基板は、複数の配線の各端部が絶縁性基板の対向する２つの端部に配置された２つの接合部と、これら２つの接合部の間の胴部とを含み、且つ、上述の筒の軸上に各接合部を投影してできる第１の線分のうち少なくとも１つと、胴部を投影してできる第２の線分とが、互いに重畳しない形状とされているので、複数回巻回したコイルを得ることができ、ひいては、コイルのインダクタンスの増大を図ることができる。
【発明を実施するための最良の形態】
【０００８】
（第１実施形態）
図１（Ａ）はこの発明の第１実施形態としてのコイル状電子部品の斜視図を示し、図１（Ｂ）はそのうちのフレキシブル配線板の展開図を示す。このコイル状電子部品では、円筒形状のボビン１の外周面にフレキシブル配線板２が後述の如く２回巻回されている。フレキシブル配線板２はポリイミド系樹脂等からなるフィルム基板（絶縁性基板）３を備えている。
【０００９】
展開された状態におけるフィルム基板３は、図２にも示すように、上記円筒形状の軸１００に平行な辺をそれぞれ含む一端側の接合部３ａおよび他端側の接合部３ｂと、各接合部３ａ、３ｂ（後述の５ｂ）の間に設けられた直線状部（胴部）３ｅと、各接合部３ａ、３ｂと直線状部３ｅとの間に設けられた湾曲部３ｃ、３ｄとを有する形状となっている。
【００１０】
より詳しくは、フィルム基板３は、図１（Ｂ）における上下両端部及びその中間部に、それぞれ軸１００に垂直で且つ互いに対向する２つの辺部（図１（Ｂ）においてフィルム基板３の左右において上下方向に延在する辺）を有する。そして、フィルム基板３のうち、中間部の２つの辺部の仮想延長線２００ｃ、２００ｄによって囲まれる部分が直線状部３ｅであり、フィルム基板３の図１（Ｂ）における上辺部と上記両端部の２つの辺部と後述の開口部８の実線で囲まれる部分が接合部３ａ、下辺部と上記両端部の２つの辺部と後述の開口部９の点線で囲まれる部分が接合部３ｂであり、直線状部３ｅと接合部３ａ、３ｂの間の部分がそれぞれ湾曲部３ｃ、３ｄである。
【００１１】
なお、図１（Ａ）および（Ｂ）には、軸１００を示すとともに、図１（Ｂ）に一端側の接合部３ａおよび他端側の接合部３ｂを軸１００上に軸１００と垂直方向に投影してできる２つの第１の線分３００ａ、３００ｂと、湾曲部３ｃ、３ｄ間に設けられた直線状部３ｅを軸１００上に投影してできる第２の線分３００ｅとを示す。本実施形態のコイル状電子部品は、このように、第１の線分３００ａ、３００ｂはいずれも第２の線分３００ｅと重畳しない。
【００１２】
図２に示す如く、フィルム基板３の上面（ボビン１の外周面に巻回されたとき、外側となる面）には銅箔等からなる複数の配線４がフィルム基板３の辺に沿って互いに平行に設けられている。複数の配線４のうち、最も左側の配線４−１以外の配線４の一端部からなる接続端子４ａは一端側の接合部３ａの上面に左側に寄せられて等間隔に設けられている。最も左側の配線４−１の一端部からなる外部接続端子４ｂは一端側の接合部３ａの近傍における湾曲部３ｃの上面に設けられている。
【００１３】
複数の配線４のうち、最も右側の配線４−ｎ以外の配線４の他端部からなる接続端子４ｃは他端側の接合部３ｂの上面に左側に寄せられて等間隔に設けられている。最も右側の配線４−ｎの他端部からなる外部接続端子４ｂは他端側の接合部３ｂの近傍における湾曲部３ｄの上面に設けられている。
【００１４】
ここで、最も左側の配線４−１以外の配線４のうち接続端子４ａの近傍における部分は、図３にも示すように、左側に１ピッチだけずらされている。これにより、一端側の接合部３ａ上に設けられた接続端子４ａは、他端側の接合部３ｂ上に設けられた接続端子４ｃと対応する位置に配置されている。なお、図２と図３とでは、配線４の本数が異なるが、これは図示の都合上である。
【００１５】
配線４を含むフィルム基板３の上面にはソルダーレジスト等からなる絶縁膜５が設けられている。絶縁膜５のうち、図２に示す外部接続端子４ｂ、４ｄに対応する部分には開口部６、７が設けられている。また、図４に示すように、一端側の接続端子４ａに対応する部分における絶縁膜５には開口部８が設けられている。したがって、一端側の接続端子４ｃは絶縁膜５の開口部８を介して露出されている。
【００１６】
ここで、上記説明では、説明の都合上、フィルム基板３は他端側の接合部３ｂを有する形状であるとしたが、実際には、図４に示すように、他端側の接続端子４ｃに対応する部分におけるフィルム基板３には開口部９が形成されていることにより、フィルム基板３は他端側の接合部３ｂを有せず、且つ、他端側の接続端子４ｃはフィルム基板３の開口部９を介して露出されている。
【００１７】
そして、以下の説明においては、フィルム基板３の開口部９（他端側の接合部３ｂ）に対応する部分における絶縁膜５を他端側の接合部５ｂという。なお、フレキシブル配線板２の長さは、ボビン１の外径を２Ｒとしたとき、４πＲよりもやや長く（４πＲ＋α）なっている。また、図４に示すように、フィルム基板３の下面には接着剤１０が設けられている。ここで、αは、図１（Ｂ）におけるフィルム基板３の上端辺と開口部８の実線との間の距離と等しいか、又は、やや長い。
【００１８】
次に、円筒形状のボビン１の外周面にフレキシブル配線板２を２回巻回する場合について説明する。まず、ボビン１の外周面の図１における左側半分にフレキシブル配線板２の一端側の接合部３ａの下面を接着剤１０を介して接着する。以下、接着剤１０を介しての接着については適宜省略する。
【００１９】
次に、ボビン１の外周面の図１における左側半分から右側半分にかけてフレキシブル配線板２の一端側の湾曲部３ｃを巻回する。次に、ボビン１の外周面の図１における右側半分にフレキシブル配線板２の直線状部３ｅを巻回する。この場合、フレキシブル配線板２の直線状部３ｅの一部は、ボビン１の外周面の図１における右側半分に既に巻回されたフレキシブル配線板２の一端側の湾曲部３ｃおよび直線状部３ｅの上面に重ね合わされる。
【００２０】
次に、ボビン１の外周面の図１における右側半分に既に巻回されたフレキシブル配線板２の直線状部３ａ上からボビン１の外周面の図１における左側半分にかけてフレキシブル配線板２の他端側の湾曲部３ｄを巻回する。次に、ボビン１の外周面の図１における左側半分に既に接着されたフレキシブル配線板２の一端側の接合部３ａの上面にフレキシブル配線板２の他端側の接合部５ｂを接合する。
【００２１】
この場合、図４に示すように、一端側の接続端子４ａを含むフィルム基板１の上面に他端側の接続端子４ｃを含む絶縁膜４の下面を異方性導電接着剤１１を介して接合（熱圧着）する。異方性導電接着剤１１は、詳細には図示していないが、導電性粒子を含むエポキシ系樹脂等の熱硬化性樹脂からなっている。この状態では、フレキシブル配線板２はボビン１の外周面に２回巻回されている。
【００２２】
次に、複数の配線４により１本のコイルが構成されることについて説明する。図３において、左側から１番目の配線４−１の他端側の接続端子４ｃは左側から２番目の配線４−２の一端側の接続端子４ａに接続される。左側から２番目の配線４−２の他端側の接続端子４ｃは左側から３番目の配線４−３の一端側の接続端子４ａに接続される。
【００２３】
すなわち、複数の配線４のうち、相隣接する一の配線（例えば、４−１）の他端側の接続端子４ｃと他の配線（例えば、４−２）の一端側の接続端子４ａとが互いに接続されることにより、複数の配線４により１本のコイルが構成される。この場合、両外部接続端子４ｂ、４ｄは、複数の配線４により構成された１本のコイルの両端部となる。
【００２４】
以上のように、このコイル状電子部品では、帯状のフレキシブル配線板２の一面に複数の配線４をフレキシブル配線板２の長さ方向に延ばして設け、フレキシブル配線板２をその長さ方向に２回巻回して、複数の配線４により１本のコイルを構成しているので、１回巻回する場合と比較して、インダクタンスを増大することができる。
【００２５】
ところで、フレキシブル配線板２の直線状部３ｅの長さを長くし、フレキシブル配線板２の長さを６πＲ＋α、８πＲ＋α、１０πＲ＋α……とした場合には、ボビン１の外周面の図１における右側半分に巻回されるフレキシブル配線板２の直線状部３ｅの巻回量が増加し、フレキシブル配線板２の巻回数を３回、４回、５回……とすることができる。
【００２６】
（第２実施形態）
図５（Ａ）はこの発明の第２実施形態としてのコイル状電子部品の斜視図を示し、図５（Ｂ）はそのうちのフレキシブル配線板の展開図を示し、図５（Ｃ）は同フレキシブル配線板の一部を折り曲げた状態における展開図を示す。このコイル状電子部品において、図１に示すコイル状電子部品と大きく異なる点は、ボビン１の外周面の同一箇所にフレキシブル配線板２を２回巻回した点である。
【００２７】
このコイル状電子部品において、展開された状態におけるフィルム基板３は、図６（Ａ）にも示すように、上記円筒形状の軸１００に平行な辺をそれぞれ含む一端側の接合部３ａおよび他端側の接合部３ｂと、各接合部３ａ、３ｂ（後述の５ｂ）の間に設けられた直線状部（胴部）３ｅと、一端側の接合部３ａと直線状部３ｅとの間に設けられた湾曲部３ｃとを有する形状となっている。
【００２８】
より詳しくは、フィルム基板３は、図５（Ｂ）における上下両端部及びその中間部に、それぞれ軸１００に垂直で且つ互いに対向する２つの辺部（図５（Ｂ）においてフィルム基板３の左右において上下方向に延在する辺）を有する。そして、フィルム基板３のうち、中間部の２つの辺部の仮想延長線２００ｂ、２００ｃによって囲まれる部分が直線状部３ｅであり、フィルム基板３の図５（Ｂ）における上辺部と上記両端部の２つの辺部と後述の開口部２３の実線で囲まれる部分が接合部３ａ、下辺部と上記両端部の２つの辺部と後述の開口部２４の実線で囲まれる部分が接合部３ｂであり、直線状部３ｅと接合部３ａの間の部分が湾曲部３ｃである。
【００２９】
なお、図５（Ａ）および（Ｂ）には、軸１００を示すとともに、図５（Ｂ）に一端側の接合部３ａおよび他端側の接合部３ｂを軸１００上に投影してできる２つの第１の線分３００ａ、３００ｂと、湾曲部３ｃ、３ｄ間に設けられた直線状部３ｅを軸１００上に軸１００と垂直方向に投影してできる第２の線分３００ｅとを示す。本実施形態のコイル状電子部品は、このように、第１の線分３００ａは第２の線分３００ｅと重畳しない。
【００３０】
図６（Ａ）に示す如く、フィルム基板３の上面（ボビン１の外周面に巻回されたとき、外側となる面）には銅箔等からなる複数の配線４がフィルム基板３の長さ方向に延びて互いに平行に設けられている。複数（一例として５本）の配線４のうち、中央の配線４−３以外の配線４の一端部からなる接続端子４ａは一端側の接合部３ａの上面に設けられている。中央の配線４−３の一端部からなる外部接続端子４ｂは一端側の接合部３ａの近傍における湾曲部３ｃの上面に設けられている。
【００３１】
５本の配線４のうち、最も左側の配線４−１以外の配線４の他端部からなる接続端子４ｃは他端側の接合部３ｂの上面に設けられている。最も左側の配線４−１の他端部からなる外部接続端子４ｂは他端側の接合部３ｂの近傍における直線状部３ｅの上面に設けられている。
【００３２】
ここで、湾曲部３ｃを直線状部３ｅの左端面（図５（Ｂ）に示す点線）に沿って１８０°折り曲げると、図６（Ｂ）に示すようになる。この状態では、一端側の接続端子４ａは他端側の接続端子４ｃと対応する位置に配置されている。一端側の外部接続端子４ｂに対応する部分における他端側の接合部３ｂには接続端子４ｃは配置されていない。他端側の外部接続端子４ｄに対応する部分における一端側の接合部３ａにも接続端子４ａは配置されていない。
【００３３】
配線４を含むフィルム基板３の上面にはソルダーレジスト等からなる絶縁膜５が設けられている。絶縁膜５のうち、図６（Ａ）に示す他端側の外部接続端子４ｄに対応する部分には開口部２１が設けられている。また、図５（Ｃ）に示すように、フィルム基板３のうち、図６（Ａ）に示す一端側の外部接続端子４ａに対応する部分には開口部２２が設けられている。
【００３４】
絶縁膜５の一端部には、フィルム基板３の一端側の接続端子４ａを露出させるための開口部２３が設けられている。絶縁膜５の他端部には、フィルム基板３の他端側の接続端子４ｃを露出させるための開口部２４が設けられている。なお、フィルム基板３の他端側の接合部３ｂ、直線状部３ｅおよび直線状部３ｅの延長線上に位置する湾曲部３ｃの下面には接着剤（図示せず）が設けられている。フレキシブル配線板２の長さは、ボビン１の外径を２Ｒとしたとき、４πＲよりもやや長く（４πＲ＋α）なっている。ここで、αは、図５（Ｂ）におけるフィルム基板３の上端辺と開口部２３の実線との間の距離と等しいか、又は、やや長い。
【００３５】
次に、円筒形状のボビン１の外周面にフレキシブル配線板２を２回巻回する場合について説明する。まず、図５（Ｂ）に示すように展開された状態におけるフレキシブル配線板２の直線状部３ｅの延長線上に位置する湾曲部３ｃの下面をボビン１の外周面に接着剤を介して接着する。以下、接着剤を介しての接着については適宜省略する。
【００３６】
次に、ボビン１の外周面にフレキシブル配線板２の直線状部３ｅおよび他端側の接合部３ｂを巻回する。この場合、フレキシブル配線板２の直線状部３ｅの一部および他端側の接合部３ｂは、ボビン１の外周面に既に巻回されたフレキシブル配線板２の湾曲部３ｃおよび直線状部３ｅの上面に重ね合わされる。
【００３７】
次に、フレキシブル配線板２の湾曲部３ｃを図５（Ｂ）に示す点線に沿って１８０°折り曲げる。次に、ボビン１の外周面に既に巻回されたフレキシブル配線板２の他端側の接合部３ｂの上面にフレキシブル配線板２の一端側の接合部５ａを異方性導電接着剤（図示せず）介して接合する。この状態では、フレキシブル配線板２はボビン１の外周面に２回巻回されている。
【００３８】
次に、複数（一例として５本）の配線４により１本のコイルが構成されることについて説明する。図６（Ａ）において、左側から１番目の配線４−１の一端側の接続端子４ａは、図６（Ｂ）に示すように、湾曲部３ｃが１８０°折り曲げられた状態では、最も右側に位置するので、図６（Ａ）において、最も右側の配線４−５の他端側の接続端子４ｃに接続される。
【００３９】
以下、配線４−５の一端側の接続端子４ａは配線４−２の他端側の接続端子４ｃに接続される。配線４−２の一端側の接続端子４ａは配線４−４の他端側の接続端子４ｃに接続される。配線４−４の一端側の接続端子４ａは配線４−３の他端側の接続端子４ｃに接続される。
【００４０】
すなわち、複数の配線４のうち、相対応する一の配線の一端側の接続端子４ａと他の配線の他端側の接続端子４ｃとが互いに接続されることにより、複数の配線４により１本のコイルが構成される。この場合、両外部接続端子４ｂ、４ｄは、複数の配線４により構成された１本のコイルの両端部となる。
【００４１】
以上のように、このコイル状電子部品では、帯状のフレキシブル配線板２の一面に複数の配線４をフレキシブル配線板２の長さ方向に延ばして設け、フレキシブル配線板２をその長さ方向に２回巻回して、複数の配線４により１本のコイルを構成しているので、１回巻回する場合と比較して、インダクタンスを増大することができる。また、このコイル状電子部品では、ボビン１の外周面の同一箇所にフレキシブル配線板２を２回巻回しているので、図１に示す場合と比較して、ボビン１の中心線方向の寸法を小さくすることができる。
【００４２】
ところで、この場合も、フレキシブル配線板２の直線状部３ａの長さを長くし、フレキシブル配線板２の長さを６πＲ＋α、８πＲ＋α、１０πＲ＋α……とした場合には、ボビン１の外周面に巻回されるフィルム基板３の直線状部３ａの巻回量が増加し、フレキシブル配線板２の巻回数を３回、４回、５回……とすることができる。
【００４３】
（第３実施形態）
図７（Ａ）はこの発明の第３実施形態としてのコイル状電子部品の斜視図を示し、図７（Ｂ）はそのうちのフレキシブル配線板の展開図を示す。図７（Ｂ）に示すように、展開された状態におけるフレキシブル配線板２は、上記円筒形状の軸１００に平行な辺をそれぞれ含む一端側の接合部３ａおよび他端側の接合部５ｂと、各接合部３ａ、５ｂの間に設けられたほぼく字状の湾曲部（胴部）３ｆと、各接合部３ａ、３ｂと直線状部３ｅとの間に設けられた湾曲部３ｃ、３ｄとを有する形状となっている。
【００４４】
より詳しくは、フィルム基板３は、図７（Ｂ）における上下両端部に、それぞれ軸１００に垂直で且つ互いに対向する２つの辺部（図７（Ｂ）においてフィルム基板３の左右において上下方向に延在する辺）を有する。そして、フィルム基板３の図７（Ｂ）における上辺部と上記両端部の２つの辺部と上端の開口部の実線で囲まれる部分が接合部３ａ、下辺部と上記両端部の２つの辺部と下端の開口部の点線で囲まれる部分が接合部５ｂであり、フィルム基板３において接合部３ａ、５ｂの共通の仮想延長線２００ｂとフィルム基板３の最右端部を通り且つ軸１００に垂直な仮想延長戦２００ｃとに囲まれた部分がほぼく字状の湾曲部３ｆであり、各接合部３ａ、５ｂとほぼく字状の湾曲部３ｆの間の部分が湾曲部３ｃ、３ｄである。
【００４５】
なお、図７（Ａ）および（Ｂ）には、軸１００を示すとともに、図７（Ｂ）に一端側の接合部３ａおよび他端側の接合部５ｂを軸１００上に投影してできる２つの第１の線分３００ａ、３００ｂと、湾曲部３ｃ、３ｄ間に設けられたほぼく字状の湾曲部３ｆを軸１００上に軸１００と垂直方向に投影してできる第２の線分３００ｆとを示す。本実施形態のコイル状電子部品は、このように、第１の線分３００ａ、３００ｂはいずれも第２の線分３００ｆと重畳しない。
【００４６】
この場合、フレキシブル配線板２の軸１００に垂直方向の長さは、ボビン１の外径を２Ｒとしたとき、４πＲよりもやや長く（４πＲ＋α）なっている。そして、フレキシブル配線板２は、ボビン１の外周面に、その湾曲部３ｆが一部で互いに重ね合わされた状態で２回巻回され、且つ、その両接合部３ａ、５ｂが互いに接合されている。ここで、αは、図７（Ｂ）におけるフィルム基板３の上端辺と開口部の実線との間の距離と等しいか、又は、やや長い。
【００４７】
（第４実施形態）
図８（Ａ）はこの発明の第４実施形態としてのコイル状電子部品の斜視図を示し、図８（Ｂ）はそのうちのフレキシブル配線板の展開図を示す。図８（Ｂ）に示すように、展開された状態におけるフレキシブル配線板２は、上記円筒形状の軸１００に平行な辺をそれぞれ含む一端側の接合部３ａおよび他端側の接合部５ｂと、各接合部３ａ、５ｂの間に設けられたほぼく字状の湾曲部（胴部）３ｆと、各接合部３ａ、３ｂと直線状部３ｅとの間に設けられた湾曲部３ｃ、３ｄとを有する形状となっている。そして、図７に示すコイル状電子部品と異なる点は、フレキシブル配線板２の軸１００に垂直方向の長さを、ボビン１の外径を２Ｒとしたとき、６πＲよりもやや長く（６πＲ＋α）した点である。それ以外は、図７に示すコイル状電子部品と同様のため、説明を省略する。
【００４８】
なお、図８（Ａ）および（Ｂ）には、軸１００を示すとともに、図８（Ｂ）に一端側の接合部３ａおよび他端側の接合部５ｂを軸１００上に投影してできる２つの第１の線分３００ａ、３００ｂと、湾曲部３ｃ、３ｄ間に設けられたほぼく字状の湾曲部３ｆを軸１００上に軸１００と垂直方向に投影してできる第２の線分３００ｆとを示す。本実施形態のコイル状電子部品は、このように、第１の線分３００ａ、３００ｂはいずれも第２の線分３００ｆと重畳しない。
【００４９】
したがって、この場合、フレキシブル配線板２はボビン１の外周面に３回巻回されている。なお、フレキシブル配線板２の湾曲部３ｆの長さを長くし、フレキシブル配線板２の長さを８πＲ＋α、１０πＲ＋α……とした場合には、ボビン１の外周面に巻回されるフィルム基板３の湾曲部３ｆの巻回量が増加し、フレキシブル配線板２の巻回数を４回、５回……とすることができる。
【００５０】
（第５実施形態）
図９はこの発明の第５実施形態としてのコイル状電子部品の図３同様の平面図を示す。このコイル状電子部品において、図３に示すコイル状電子部品と異なる点は、複数の配線４のうち、１本置きの一の配線（例えば、４−１）の他端側の接続端子４ｃと他の配線（例えば、４−３）の一端側の接続端子４ａとを互いに接続することにより、２本のコイルを構成した点である。
【００５１】
したがって、この場合、２つの外部接続端子４ｂ−１、４ｄ−１は一方のコイルの両端部となり、２つの外部接続端子４ｂ−２、４ｄ−２は他方のコイルの両端部となる。そして、この場合の等価回路は、図１０に示すようになり、巻数が１：１であるトランスが構成されている。なお、上記第３、第４実施形態に示すようなコイル状電子部品においても、このようなトランスを構成することができる。
【００５２】
（第６実施形態）
図１１（Ａ）、（Ｂ）はこの発明の第６実施形態としてのコイル状電子部品の図６（Ａ）、（Ｂ）同様の平面図を示す。このコイル状電子部品において、図６に示すコイル状電子部品と異なる点は、２本のコイルを構成した点である。したがって、２つの外部接続端子４ｂ−１、４ｄ−１は一方のコイルの両端部となり、２つの外部接続端子４ｂ−２、４ｄ−２は他方のコイルの両端部となる。
【００５３】
この場合、２つの外部接続端子４ｂ−１、４ｄ−１間に形成される一方のコイルは、図６（Ａ）、（Ｂ）に示す場合と同様である。２つの外部接続端子４ｂ−２、４ｄ−２間に形成される他方のコイルは、外部接続端子４ｄ−２、接続端子４ａ−１、接続端子４ｃ−１、接続端子４ａ−２、接続端子４ｃ−２、接続端子４ａ−３、接続端子４ｃ−３、接続端子４ａ−４、接続端子４ｃ−４、外部接続端子４ｂ−２の順で形成される。そして、この場合の等価回路も、図１０に示すようになり、巻数が１：１であるトランスが構成されている。
【００５４】
（その他の実施形態）
上記各実施形態において、ボビン１の形状は円柱形状、四角、五角等の角筒形状あるいは角柱形状としてもよい。また、上記各実施形態において、ボビン１は省略してもよい。この場合、ボビン１等の外周面にフレキシブル配線板２を巻回するとき、その互いに重なり合う部分において接着剤で接着し、ボビン１等から取り外した後のフレキシブル配線板２の巻回状態が維持されるようにしてもよい。
【図面の簡単な説明】
【００５５】
【図１】（Ａ）はこの発明の第１実施形態としてのコイル状電子部品の斜視図、（Ｂ）はそのうちのフレキシブル配線板の展開図。
【図２】図１（Ｂ）に示すフレキシブル配線板の配線等を説明するために示す平面図。
【図３】図２に示すフレキシブル配線板の一端側の接続端子と他端側の接続端子との位置関係を説明するために示す平面図。
【図４】図１（Ａ）に示すフレキシブル配線板の接合部分を説明するために示す断面図。
【図５】（Ａ）はこの発明の第２実施形態としてのコイル状電子部品の斜視図、（Ｂ）はそのうちのフレキシブル配線板の展開図、（Ｃ）は同フレキシブル配線板の一部を折り曲げた状態における展開図。
【図６】（Ａ）、（Ｂ）は図５（Ｂ）、（Ｃ）に示すフレキシブル配線板の配線等を説明するために示す平面図。
【図７】（Ａ）はこの発明の第３実施形態としてのコイル状電子部品の斜視図、（Ｂ）はそのうちのフレキシブル配線板の展開図。
【図８】（Ａ）はこの発明の第４実施形態としてのコイル状電子部品の斜視図、（Ｂ）はそのうちのフレキシブル配線板の展開図。
【図９】この発明の第５実施形態としてのコイル状電子部品の図３に同様の平面図。
【図１０】図９に示すコイル状電子部品の等価回路図。
【図１１】（Ａ）、（Ｂ）はこの発明の第６実施形態としてのコイル状電子部品の図６（Ａ）、（Ｂ）同様の平面図。
【符号の説明】
【００５６】
１  ボビン
２  フレキシブル配線板
３  フィルム基板（絶縁性基板）
３ａ  一端側の接合部
３ｂ、５ｂ  他端側の接合部
３ｃ、３ｄ  湾曲部
３ｅ  直線状部（胴部）
３ｆ  ほぼく字状の湾曲部（胴部）
４  配線
４ａ、４ｂ  接続端子
４ｂ、４ｄ  外部接続端子
５  絶縁膜
１００  軸
３００ａ、３００ｂ  第１の線分
３００ｅ、３００ｆ  第２の線分
【図１】
0005070958.tif 000002
【図２】
0005070958.tif 000003
【図３】
0005070958.tif 000004
【図４】
0005070958.tif 000005
【図５】
0005070958.tif 000006
【図６】
0005070958.tif 000007
【図７】
0005070958.tif 000008
【図８】
0005070958.tif 000009
【図９】
0005070958.tif 000010
【図１０】
0005070958.tif 000011
【図１１】
0005070958.tif 000012